(57)【要約】【課題】樹脂成形品としての透光性装飾部材に残存する押し出しピンの当て座によって透光性装飾部材のデザイン（意匠性）が損なわれない遊技機を提供する。【解決手段】本発明の遊技機は、樹脂成形品としての透光性装飾部材１０３を備える。成形された透光性装飾部材１０３を金型から抜き出すための押し出しピンの先端が透光性装飾部材１０３に当接することによって透光性装飾部材１０３に痕跡として残存する当て座９０は、意匠を構成しており、例えばその外周に第１の意匠形態部９２Ａまたは第２の意匠形態部９２Ｂを有する。【選択図】図４
2019118432.tif 000002
【特許請求の範囲】
【請求項１】
樹脂成形品としての透光性装飾部材を備える遊技機であって、
成形された前記透光性装飾部材を金型から抜き出すための押し出しピンの先端が前記透光性装飾部材に当接することによって前記透光性装飾部材に痕跡として残存する当て座が意匠を構成していることを特徴とする遊技機。
【請求項２】
前記当て座の外周に意匠が施されることを特徴とする請求項１に記載の遊技機。
【請求項３】
前記当て座は、前記透光性装飾部材が伴う意匠の一部を構成することを特徴とする請求項１または２に記載の遊技機。
【発明の詳細な説明】
【技術分野】
【０００１】
本発明は、透光性装飾部材を有する遊技機に関する。
【背景技術】
【０００２】
スロットマシンやパチンコ遊技機等の遊技機においては、遊技機の前面部に、遊技の演出等を行なう照明装置が設けられているものがある（例えば、特許文献１および特許文献２参照）。近年の遊技機における照明装置は、複数のＬＥＤが実装されたＬＥＤ基板の他、レンズ部材や装飾部材を備えている。例えば、装飾を施した装飾パネルにレンズを設けたり、レンズ部材の外形を適宜変形して、レンズ部材自体に意匠性を持たせたりしている。
【先行技術文献】
【特許文献】
【０００３】
【特許文献１】特開２０１５−１６２４１７号公報
【特許文献２】特開２０１４−２２１１２４号公報
【発明の概要】
【発明が解決しようとする課題】
【０００４】
ところで、遊技機の前面部に設けられて光源であるＬＥＤからの発光を導くレンズ部材等の透光性装飾部材は、一般に、樹脂を射出成形して製造される。射出成形では、金型の押し出しピン（エジェクタピン）によって、成形された樹脂部材を金型から抜き出すことになるため、射出成形された樹脂部材には金型の押し出しピンの先端が当接した痕跡部位（以下、当て座という）が残存することになる。
【０００５】
そのような当て座は、透光性装飾部材が導光されて発光した際に、遊技者からその形状が見えてしまうことから、遊技者によって目視できない透光性装飾部材の部位に割り当てられることが求められる。
【０００６】
しかしながら、成形品である透光性装飾部材の全体が遊技者から目視できるようなデザインであるなど、遊技者によって目視できない透光性装飾部材の部位に当て座を割り当てる（目視できない透光性装飾部材の部位に押し出しピンを押し当てる）ことが難しい場合もあり、そのような場合には、透光性装飾部材が導光されて発光した際に、当て座が遊技者から見えてしまい、その発光した透光性装飾部材のデザイン（意匠性）を損ねてしまう。
【０００７】
本発明は、前記事情に鑑みてなされたもので、樹脂成形品としての透光性装飾部材に残存する押し出しピンの当て座によって透光性装飾部材のデザイン（意匠性）が損なわれない遊技機を提供することを目的とする。
【課題を解決するための手段】
【０００８】
前記目的を達成するために、本発明は、樹脂成形品としての透光性装飾部材を備える遊技機であって、
成形された前記透光性装飾部材を金型から抜き出すための押し出しピンの先端が前記透光性装飾部材に当接することによって前記透光性装飾部材に痕跡として残存する当て座が意匠を構成していることを特徴とする。
【０００９】
本発明においては、成形品である透光性装飾部材に必然的に残存する押し出しピンの当て座が意匠を構成しているため、透光性装飾部材が導光されて発光した際に、当て座が遊技者から見えてしまう場合であっても、その発光した透光性装飾部材のデザイン（意匠性）が当て座によって損なわれてしまうことがない。
【００１０】
なお、上記構成において、当て座が意匠を構成する形態としては、例えば、当て座の外周に意匠が施されるような形態、または、透光性装飾部材自体が伴う意匠の一部を当て座が構成するような形態を挙げることができる。そのような意味で、上記構成における「当て座が意匠を構成する」とは、当て座それ自体にそれ固有の意匠が施される形態のみならず、当て座自体または当て座の外周に施される意匠がその周囲の別の意匠の一部を構成している場合も含むほか、遊技者が外側から見て当て座が意匠を構成していると認識できる状態、例えば、透光性装飾部材の背面に形成される当て座に直接に意匠を施さずに、当て座の位置に対応する透光性装飾部材の表面部位（当て座が位置する面とは反対側に位置する透光性装飾部材の面）で当て座またはその外周に対応する位置に意匠を施す形態も含む。
【００１１】
また、透光性装飾部材に残存する当て座の全てが意匠を構成してもよいが、例えば、外部から遊技者が当て座を視認可能な透光性装飾部材の領域でのみ当て座が意匠を構成し、外部から遊技者が当て座を視認不可能な透光性装飾部材の領域では当て座が敢えて意匠を構成しなくてもよい。しかしながら、当て座を視認可能な透光性装飾部材の領域で当て座が意匠を構成することとのバランスから、当て座を視認不可能な透光性装飾部材の領域に位置される当て座に対して簡易な意匠、例えば円形等の形状の意匠を当て座の外周等に施してもよい。
【００１２】
なお、当て座自体の形状は、一般的に平坦であるが、任意の断面形状を有していても構わない。また、当て座が構成する意匠は、星形、炎形状など、透光性装飾部材が伴う装飾形態に対応して適宜決定されればよい。
【００１３】
また、このような当て座の意匠は、透光性装飾部材の成形時に同時に成形されてもよく、あるいは、透光性装飾部材の成形後に加工等によって設けられてもよく、その形成形態も任意である。
【発明の効果】
【００１４】
本発明によれば、成形品である透光性装飾部材に必然的に残存する押し出しピンの当て座が意匠を構成しているため、透光性装飾部材が導光されて発光した際に、当て座が遊技者から見えてしまう場合であっても、その発光した透光性装飾部材のデザイン（意匠性）が当て座によって損なわれてしまうことがない。
【図面の簡単な説明】
【００１５】
【図１】本発明の実施の形態に係る遊技機の一例を示す斜視図である。
【図２】図１に示される遊技機が有する照明装置の分解斜視図である。
【図３】図２の照明装置を構成する装飾物の分解斜視図である。
【図４】図３の装飾物を構成する透光性装飾部材を背面から見た正面図である。
【図５】図４のＡ部の拡大図である。
【図６】図３の装飾物を構成する他の透光性装飾部材を背面から見た正面図である。
【発明を実施するための形態】
【００１６】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１７】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１８】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１９】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
【００２０】
また、上扉３０の上部中央には、表示窓３１の上方に表示窓３２が設けられている。この表示窓３２は上扉３０に設けられた液晶パネルを有する画像表示装置の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部には、報知や演出などを行うための照明装置３４が設けられ、表示窓３２と表示窓３１との間には報知や演出などを行うための横長の照明装置３６が設けられている。
また、上扉３０の左右両側部には、報知や演出などを行うための照明装置３７が設けられている。
【００２１】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２２】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２３】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２４】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２５】
前記照明装置３４は、図２に示すように、装飾物１００とベース部材１１０とを備えている。
装飾物１００は、図３に示すように、遊技者から見て最前部（図３おいて左斜め下）に設けられた不透明または後方を視認困難な程度の透光性を有する前側装飾部材１０１と、この前側装飾部材１０１より後方に設けられ、かつ前後に重ね合された透光性を有する複数の透光性装飾部材（レンズ部材）１０２〜１０５とを有している。図２に示すように、ベース部材１１０の前面には、光源としてのＬＥＤ（発光素子）１４０ａが実装されたＬＥＤ基板（発光素子基板）１４０が設けられている。このように照明装置３４は、装飾物１００と、ＬＥＤ１４０ａが実装されたＬＥＤ基板１４０を有するベース部材１１０とを備えている。さらに、照明装置３４は、後述するＬＥＤ１６３ａが実装されたＬＥＤ基板１６３を備えている。
【００２６】
前側装飾部材１０１は、図３に示すように、ベース部材１０１ａと、ベース部材１０１ａの前面および側面を覆うようにして当該ベース部材１０１ａに取り付けられたカバー部材１０１ｂとを備えており、内部には、ＬＥＤ（発光素子）が実装されたＬＥＤ基板、静電気防止部材およびロゴ等が施された透光性を有する装飾シートが設けられている。
【００２７】
カバー部材１０１ｂは透明な樹脂によって形成されており、その前壁は平坦に形成され、外周壁１０１ｄの表面には前後方向に延びる凹凸条が周方向に沿って複数形成され、これら凹凸条の表面に例えば金の蒸着膜が形成されている。また、カバー部材１０１ｂの前壁には後面側から透光性を有する前記装飾シートが密着している。この金の蒸着膜はその裏面側を視認困難な程度の透光性を有している。つまり、蒸着膜は半透明となっている。
【００２８】
また、図３に示すように、ベース部材１０１ａは、その底板の後面に、後方に向けて突出する４本の突出部１０６を有している（図中、１本は見えない）。４本の突出部１０６は、先端部側ほど小径なっており、その先端部１０６ａの先端面にねじ孔１０６ｂを有している。この先端部１０６ａはＬＥＤ基板１４０に設けられた貫通部１４０ｂに挿通されるようになっている。また、突出部１０６の長さは、前後に重ね合された複数の透光性装飾部材１０２〜１０５を貫通するに十分な長さとなっている。
【００２９】
また、図３に示すように、ベース部材１０１ａの底板の裏面（後面）には後方に向けて突出する四角形筒状の筒状突出部（筒状通路部）１０７が設けられており、この筒状突出部１０７も突出部１０６と同様に先端部側ほど小径なっている。
また、筒状突出部（筒状通路部）１０７は樹脂によって白色不透明に形成され、当該筒状突出部（筒状通路部）１０７には、前記底板の前面側に取り付けられるＬＥＤ基板の後面に設けられた接続端子に一端部が接続されて後方に向けて延びる図示しないハーネス（接続ケーブル）が挿通されている。したがって、筒状突出部（筒状通路部）１０７に挿通されているハーネスが筒状突出部１０７によって隠されてその外側から見ることはできない。
【００３０】
次に、図３を参照しながら透光性装飾部材１０２〜１０５について説明する。
図示のように、透光性装飾部材１０２は、透光性装飾部材１０３〜１０５の少なくとも前面側および上面側を覆うカバー部材であり、樹脂射出成形によって形成され、無色透明となっている。また、透光性装飾部材１０３〜１０５は形状および色が異なるレンズ部材１０３〜１０５である。
【００３１】
透光性装飾部材１０２は全体として横長の形状となっており、その前面の左右方向（横方向）の中央部に前側装飾部材１０１を装着するための装着座１０２ａが設けられている。この装着座１０２ａに前側装飾部材１０１のベース部材１０１ａが設置されている。また、装着座１０２ａの外周部には、周方向に沿って立壁１０２ｂが形成されている。この立壁１０２ｂの先端部に前側装飾部材１０１のカバー部材１０１ｂの外周壁１０１ｄの先端部が係合している。
【００３２】
また、装着座１０２ａには、その略中央部に矩形の開口部１０２ｃが装着座１０２ａを貫通して形成され、開口部１０２ｃより外側の装着座１０２ａには、４つの円形状の挿通孔１０２ｄが装着座１０２ａを貫通して形成されている。開口部１０２ｃおよび４つの挿通孔１０２ｄは、それぞれ装着座１０２ａに設置された前側装飾部材１０１の筒状突出部１０７および４本の突出部１０６と同軸に配置されている。そして、開口部１０２ｃに前側装飾部材１０１の筒状突出部１０７が挿通され、４つの挿通孔１０２ｄにそれぞれ前側装飾部材１０１の突出部１０６が挿通されている。
【００３３】
また、透光性装飾部材１０２は、その装着座１０２ａの周囲の立壁１０２ｂの外面および内面に前後方向に延びる凹凸条が立壁１０２ｂの周方向に複数形成されることで装飾されている。さらに、透光性装飾部材１０２は、その装着座１０２ａの左右外側の部位が横断面凸曲面状に形成されることで装飾されているとともに、アウターレンズとしての機能を有するものとなっている。したがって、レンズ部材である透光性装飾部材（インナーレンズ）１０３〜１０５に加えて透光性装飾部材１０２もレンズ部材として機能するようになっている。
【００３４】
透光性装飾部材１０３は、樹脂射出成形によって形成され、例えば全体が青色透明となっている。この透光性装飾部材１０３は、全体として横長でかつ、上縁部側と下縁部側が後方に向けて湾曲し、上下方向中央部が前側に向けて湾曲した形状となっている。また、透光性装飾部材１０３の上縁部は左右の中央部を境として、互いに逆方向に斜め上方に突出した炎形状となっており、左右側ほど斜め上方に突出する炎形状の傾きが水平に近づいている。
また、透光性装飾部材１０３の前面には樹脂射出成形によって複数のレンズカット面が形成されている。レンズカット面は透光性装飾部材１０３の厚さ方向に対して様々な角度で傾斜するとともに、上述した炎形状に沿って延在している。
【００３５】
また、透光性装飾部材１０３の中央部には、４つの挿通孔１１１が透光性装飾部材１０３を貫通して設けられている。これらの４つの挿通孔１１１は、透光性装飾部材１０２の装着座１０２ａに設けられた４つの挿通孔１０２ｄと同軸に設けられている。挿通孔１１１には前記前側装飾部材１０１の突出部１０６が挿通され、当該突出部１０６は挿通孔１１１の内周面にほぼ密接している。また、挿通孔１１１はストレート状の孔であってもよいし、突出部１０６の外周面に対応させて、先細りとなるテーパ状の孔であってもよい。
【００３６】
また、透光性装飾部材１０３にはその略中央部に矩形状の開口部１１２が透光性装飾部材１０３を貫通して形成されており、この開口部１１２には前記筒状突出部（筒状通路部）１０７が挿通されている。また、透光性装飾部材１０３には複数の開口部１１３が透光性装飾部材１０３を貫通して形成されている。これら開口部１１３は透光性装飾部材１０３の後方に配置される透光性装飾部材１０４の一部を透光性装飾部材１０３の前面側に露出させるもので、透光性装飾部材１０３の全域に亘って散在するようにして形成され、様々な形状となっているが、これら複数の開口部１１３によって透光性装飾部材１０３が全体的に炎の形状に形成されている。このような構成の透光性装飾部材１０３はその前面をカバー部材である透光性装飾部材１０２の後面側に向けて当該透光性装飾部材１０２の内側に挿入される。
【００３７】
透光性装飾部材１０４は、樹脂射出成形によって形成され、例えば透明ではないが白色でかつ透光性を有し、さらに透光性装飾部材１０４には光を拡散させるための拡散剤が含まれている。この透光性装飾部材１０４は全体として横長でかつ、上縁部側と下縁部側が後方に向けて湾曲し、上下方向中央部が前側に向けて湾曲した形状となっている。また、透光性装飾部材１０４の上縁部は左右の中央部を境として、互いに逆方向に斜め上方に突出した炎形状となっており、左右側ほど斜め上方に突出する炎形状の傾きが水平に近づいている。
【００３８】
また、透光性装飾部材１０４の前面には樹脂射出成形によって複数のレンズカット面が形成されている。レンズカット面は透光性装飾部材１０４の厚さ方向に対して様々な角度で傾斜するとともに、上述した炎形状に沿って延在している。また、透光性装飾部材１０４は、透光性装飾部材１０３の後面側に重ね合された状態において、上縁部が透光性装飾部材１０３の上縁部より斜め上方にはみ出しており、正面（前面）側から見た際に透光性装飾部材１０４の上縁部を見ることができるようになっている。
【００３９】
また、透光性装飾部材１０４の中央部には、４つの挿通孔１２１が透光性装飾部材１０４を貫通して設けられている。これらの４つの挿通孔１２１は、透光性装飾部材１０３に設けられた４つの挿通孔１１１と同軸に設けられている。挿通孔１２１には前記前側装飾部材１０１の突出部１０６が挿通され、当該突出部１０６は挿通孔１２１の内周面にほぼ密接している。また、挿通孔１２１はストレート状の孔であってもよいし、突出部１０６の外周面に対応させて、先細りとなるテーパ状の孔であってもよい。
【００４０】
また、透光性装飾部材１０４にはその略中央部に矩形状の開口部１２２が透光性装飾部材１０４を貫通して形成されており、この開口部１２２には前記筒状突出部１０７が挿通されている。また、透光性装飾部材１０４には複数の開口部１２３が形成されている。これら開口部１２３は透光性装飾部材１０４の後方に配置される透光性装飾部材１０５の一部を透光性装飾部材１０４の前面側に露出させるもので、透光性装飾部材１０４の全域に亘って散在するようにして形成され、様々な形状となっている。さらに、透光性装飾部材１０４の左右両端部の前面には、位置決め用の位置決孔１０４ａ，１０４ａが設けられている。
【００４１】
このような構成の透光性装飾部材１０４はその前面を透光性装飾部材１０３の後面側に向けて当該透光性装飾部材１０３と重ね合されている。この状態において、透光性装飾部材１０３の後面に設けられている位置決突起が透光性装飾部材１０４の位置決孔１０４ａ，１０４ａに嵌め込まれることによって、透光性装飾部材１０３に対する透光性装飾部材１０４の位置決めがなされている。なお、この場合、透光性装飾部材１０３の開口部１１３には透光性装飾部材１０４の一部が露出している。
【００４２】
透光性装飾部材１０５は、樹脂射出成形によって形成され、例えば全体が水色透明または薄い青色透明となっている。この透光性装飾部材１０５は全体として横長でかつ、上縁部側と下縁部側が後方に向けて湾曲し、上下方向中央部が前側に向けて湾曲した形状となっている。また、透光性装飾部材１０５の前面には樹脂射出成形によって複数のレンズカット面が形成されている。レンズカット面は透光性装飾部材１０５の厚さ方向に対して様々な角度で傾斜するとともに、上述した炎形状に沿って延在している。さらに、透光性装飾部材１０５の後面には樹脂射出成形によって多数の細かいレンズカット面が形成されている。また、透光性装飾部材１０５は、透光性装飾部材１０４の後面側に重ね合された状態において、上縁部が透光性装飾部材１０４の上縁部より斜め上方にはみ出しており、正面（前面）側から見た際に透光性装飾部材１０５の上縁部を見ることができるようになっている。
【００４３】
また、透光性装飾部材１０５の中央部には、４つの挿通孔１３１が透光性装飾部材１０５を貫通して設けられている。これらの４つの挿通孔１３１は、透光性装飾部材１０３に設けられた４つの挿通孔１１１および透光性装飾部材１０４に設けられた４つの挿通孔１２１と同軸に設けられている。挿通孔１３１には前記前側装飾部材１０１の突出部１０６が挿通され、当該突出部１０６は挿通孔１３１の内周面にほぼ密接している。また、挿通孔１３１はストレート状の孔であってもよいし、突出部１０６の外周面に対応させて、先細りとなるテーパ状の孔であってもよい。
【００４４】
また、透光性装飾部材１０５にはその略中央部に矩形状の開口部１３２が透光性装飾部材１０５を貫通して形成されており、この開口部１３２には前記筒状突出部１０７が挿通されている。また、透光性装飾部材１０５には複数の開口部１３３が形成されている。これら開口部１３３は透光性装飾部材１０５の前方に配置される透光性装飾部材１０４の一部を透光性装飾部材１０５の後面側に露出させるもので、透光性装飾部材１０５の全域に亘って散在するようにして形成され、様々な形状となっているが、これら複数の開口部１３３によって全体的に炎の形状が形成されている。さらに、透光性装飾部材１０５の左右両端部の前面には、位置決め用の位置決溝１０５ａ，１０５ａが設けられている。
【００４５】
このような構成の透光性装飾部材１０５はその前面を透光性装飾部材１０４の後面側に向けて当該透光性装飾部材１０４と重ね合されている。この状態において、透光性装飾部材１０４の後面に設けられている位置決突起が透光性装飾部材１０５の前面に設けられている位置決溝１０５ａ，１０５ａに嵌め込まれることによって、透光性装飾部材１０４に対する透光性装飾部材１０５の位置決めがなされている。なお、この場合、透光性装飾部材１０５の開口部１３３には透光性装飾部材１０４の一部が露出している。
【００４６】
図２に示すように、ベース部材１１０は、樹脂射出成形によって形成され、例えば全体が青色透明となっている。このベース部材１１０は、複数のＬＥＤ１４０ａが実装されたＬＥＤ基板１４０が取り付けられる取付板部１４１と、この取付板部１４１の左右両側部に設けられた側壁部１４２，１４２と、側壁部１４２，１４２に架け渡された底板部１４３とを備えており、取付板部１４１の前面側にＬＥＤ基板１４０が取り付けられている。また、底板部１４３の基端部には断面略Ｌ字形の壁部１４４が設けられており、この壁部１４４の上端部は取付板部１４１に接続されている。壁部１４４はベース部材１１０の幅方向（左右方向）に延在しており、当該壁部１４４の表面には細かい溝が多数形成されている。壁部１４４および底板部１４３はＬＥＤ基板１４０より前側に位置しているので、ＬＥＤ１４０ａの光の一部は壁部１４４および底板部１４３に照射されるようになっている。
【００４７】
ＬＥＤ基板１４０には、４つの貫通部１４０ｂが透光性装飾部材１０５の４つの挿通孔１３１とほぼ同軸に形成されている。なお、一例として、左下側の貫通部１４０ｂは半長円状の切欠部であり、その他の３つの貫通部１４０ｂは円形の貫通孔である。また、ＬＥＤ基板１４０の略中央部には、略矩形状の開口部１４０ｄがＬＥＤ基板１４０を貫通して形成されている。
【００４８】
また、取付板部１４１の上縁部には左右に延在する帯板状の壁部１４１ａ，１４１ｂが設けられている。壁部１４１ａは取付板部１４１の上縁部から前方に突出し、壁部１４１ｂは取付板部１４１の上縁部から上方に突出し、これら壁部１４１ａ，１４１ｂが直角に配置されている。一方、図３に示すように、透光性装飾部材１０５の上縁部には左右に延在する帯板状の突出板部１０５ｄが設けられている。また、図２に示すように、ベース部材１１０の底板部１４３の先端部には略波形に形成された係合部１４３ａが形成されている。また、図示しないが、透光性装飾部材１０２の下縁部には、略波形に形成された係合部が形成されている。そして、ベース部材１１０の係合部１４３ａに透光性装飾部材１０２の前記係合部が係合され、さらにベース部材１１０の壁部１４１ａより上方側に透光性装飾部材１０５の突出板部１０５ｄが配置され、この突出板部１０５ｄの先端部が壁部１４１ｂに当接している。
【００４９】
このようにして、前後に重ね合された透光性装飾部材１０２〜１０５は、前側装飾部材１０１とベース部材１１０とによって挟み付けられている。すなわち、透光性装飾部材１０２の装着座１０２ａに装着されている前側装飾部材１０１の４本の突出部１０６は、装着座１０２ａに形成されている４つの挿通孔１０２ｄ、透光性装飾部材１０３に形成されている４つの挿通孔１１１、透光性装飾部材１０４に形成されている４つの挿通孔１２１および透光性装飾部材１０５に形成されている４つの挿通孔１３１に挿通されたうえで、ベース部材１１０に取り付けられているＬＥＤ基板１４０の４つの貫通部１４０ｂに挿通され、さらに、ベース部材１１０の取付板部１４１に形成されている４つの貫通孔に挿入されている。
そして、ベース部材１１０の背面（後面）側からねじを前記４つの貫通孔に挿入したうえで、前側装飾部材１０１の４つの突出部１０６に形成されているねじ孔にねじ込むことによって、ベース部材１１０と前側装飾部材１０１とによって、透光性装飾部材１０２〜１０５が挟み付けられて固定されている。
【００５０】
また、前側装飾部材１０１の筒状突出部（筒状通路部）１０７は、装着座１０２ａに形成されている開口部１０２ｃ、透光性装飾部材１０３に形成されている開口部１１２、透光性装飾部材１０４に形成されている開口部１２２および透光性装飾部材１０５に形成されている開口部１３２に挿通されたうえで、ベース部材１１０に取り付けられているＬＥＤ基板１４０の開口部１４０ｄの開口縁部まで挿通され、筒状突出部１０７の先端部に設けられている係止部が開口部１４０ｄの左右両側に形成された切欠部に挿入されて係止している。
【００５１】
ベース部材１１０および装飾物１００を有する照明装置３４は、上扉３０（図１参照）の上端部に取り付けられている。すなわち、図１および図２に示すように、上扉３０の上端部には上扉側取付ベース１６０が取り付けられ、この上扉側取付ベース１６０の前面に取付ベース１６１が取り付けられている。この取付ベース１６１は、取付ベース本体１６２と、この取付ベース本体１６２の左右方向中央部に設けられるベース部材１１０とを備えている。取付ベース本体１６２の前面の左右両側にそれぞれ複数のＬＥＤ１６３ａが実装されたＬＥＤ基板１６３がその前面を前方に向けて取り付けられている。また、取付ベース本体１６２の前面の左右両側にそれぞれ基板押え部材１６４がＬＥＤ基板１６３に被さるようにして取り付けられ、これによってＬＥＤ基板１６３は取付ベース１６１の前面に固定されている。なお、基板押え部材１６４には、ＬＥＤ１６３ａを前面側に露出するための開口部１６４ａが複数形成されている。
【００５２】
また、ベース部材１１０は左右の基板押え部材１６４，１６４間において取付ベース本体１６２に取り付けられている。そして、このベース部材１１０と前側装飾部材１０１とによって透光性装飾部材１０２〜１０５（図２参照）が挟み付けられることで、装飾物１００が上扉３０の上端部に取り付けられている。そして、透光性装飾部材（レンズ部材）１０２〜１０５の左右中央部の部分に、ベース部材１１０に設けられているＬＥＤ基板１４０のＬＥＤ１４０ａから光が照射され、透光性装飾部材（レンズ部材）１０２〜１０５の左右両側部の部分に、取付ベース１６１に設けられているＬＥＤ基板１６３のＬＥＤ１６３ａから光が照射されるようになっている。
【００５３】
ところで、射出成形によって形成される前述した樹脂成形品としての透光性装飾部材１０２〜１０５においては、これらの透光性装飾部材を金型から抜き出すために押し出しピンが使用され、その押し出しピンの先端が透光性装飾部材に当接することによって透光性装飾部材の背面にはその痕跡として当て座が残存するが、本実施の形態では、この当て座が意匠を構成するようになっている。以下、これについて、図４ないし図６を参照しつつ、内側の２つの透光性装飾部材１０３，１０４を例にとって説明する。
【００５４】
図４には、前述した透光性装飾部材１０３の背面が示される。図示のように、この透光性装飾部材１０３の背面には、透光性装飾部材１０３を金型から抜き出すための押し出しピンの先端が透光性装飾部材１０３に当接することによってその痕跡として当て座９０が残存する。この図では、当て座９０が透光性装飾部材１０３の背面のほぼ全体にわたって存在するが、金型の設計態様や透光性装飾部材の形態によっては当て座を透光性装飾部材の外周端縁部に割り当てることも可能であり、したがって、図示のように当て座が透光性装飾部材１０３の背面のほぼ全体にわたって存在しない場合も考えられる。しかしながら。本実施の形態では、遊技者によって目視できない透光性装飾部材の部位に当て座を割り当てる（目視できない透光性装飾部材の部位に押し出しピンを押し当てる）ことが難しい場合を想定して、当て座９０が透光性装飾部材１０３の背面のほぼ全体にわたって存在する場合について説明する（図６も同様）。
【００５５】
図４に示すように、少なくとも外部から遊技者が当て座９０を視認可能な透光性装飾部材１０３の領域Ｒ１０，Ｒ１１，Ｒ１２，Ｒ１３，Ｒ１４，Ｒ１８，Ｒ１９，Ｒ２０，Ｒ２１，Ｒ２２では、当て座９０が意匠を構成している。具体的には、本実施の形態において、透光性装飾部材１０３の左右両側のこれらの領域Ｒ１０，Ｒ１１，Ｒ１２，Ｒ１３，Ｒ１４，Ｒ１８，Ｒ１９，Ｒ２０，Ｒ２１，Ｒ２２（実線で囲まれる左側の５つの点在領域Ｒ１０，Ｒ１１，Ｒ１２，Ｒ１３，Ｒ１４および実線で囲まれる右側の５つの点在領域Ｒ１８，Ｒ１９，Ｒ２０，Ｒ２１，Ｒ２２）内に位置される当て座９０の外周は、領域Ｒ１２を拡大した図５に明確に示されるように、透光性装飾部材１０３の周縁部の炎形状に対応して炎形状または星形の意匠（デザイン）が施されて成る第１の意匠形態部９２Ａとして形成されている。
【００５６】
この第１の意匠形態部９２Ａは、例えば、当て座９０の平面部位と面一の状態から透光性装飾部材１０３の背面部位と面一の状態へと滑らかに傾斜するように延びてもよく、その形成形態は任意に設定できる。また、第１の意匠形態部９２Ａが形成する炎は、意匠に違和感が生じないように、例えばその形成位置付近における透光性装飾部材１０３の外周縁部の炎の延在方向にほぼ沿って延びていることが好ましい。また、第１の意匠形態部９２Ａの表面は、図５に明確に示されるように凹凸を有してもよいが、滑らかな面として形成されてもよい。また、第１の意匠形態部９２Ａは、当て座９０の外周全体にわたって形成されてもよいが、当て座９０の外周の一部のみに形成されても構わない。また、第１の意匠形態部９２Ａは、図５に明確に示されるように当て座９０から直接に延在していてもよいが、当て座９０から所定の隙間を隔てて形成されてもよい。
【００５７】
当て座９０自体の形状は、本実施の形態では平坦であるが、任意の断面形状を有していても構わない。また、当て座９０が構成する意匠、すなわち、第１の意匠形態部９２Ａの形状は、星形や炎形状以外の形状であってもよく、透光性装飾部材１０３が伴う装飾形態に対応して適宜決定されればよい。
【００５８】
また、このような当て座９０の意匠、すなわち、第１の意匠形態部９２Ａは、透光性装飾部材１０３の成形時に同時に成形されてもよく、あるいは、透光性装飾部材１０３の成形後に加工等によって設けられてもよく、その形成形態も任意である。
【００５９】
また、透光性装飾部材１０３に残存する当て座９０の全てがこのような意匠を構成してもよいが、例えば、外部から遊技者が当て座９０を視認可能な透光性装飾部材１０３の領域１０，Ｒ１１，Ｒ１２，Ｒ１３，Ｒ１４，Ｒ１８，Ｒ１９，Ｒ２０，Ｒ２１，Ｒ２２でのみ当て座９０が意匠を構成し、外部から遊技者が当て座９０を視認不可能な透光性装飾部材１０３の中央領域（破線で示される領域）Ｒ１５，Ｒ１６，Ｒ１７では当て座９０が敢えて意匠を構成しなくてもよい。しかしながら、当て座９０を視認可能な透光性装飾部材１０３の領域で当て座９０が意匠を構成することとのバランスから、本実施の形態では、当て座９０を視認不可能な透光性装飾部材１０３の中央の３つの点在領域Ｒ１５，Ｒ１６，Ｒ１７に位置される当て座９０に対して簡易な意匠、例えば円形等の形状の意匠（第２の意匠形態部９２Ｂ）を当て座９０の外周等に施している。
【００６０】
図６には、前述した別の透光性装飾部材１０４の背面が示される。図示のように、この透光性装飾部材１０４の背面にもそのほぼ全体にわたって当て座９０が存在し、外部から遊技者が当て座９０を視認可能な透光性装飾部材１０４の左右の実線で囲まれる領域Ｒ１，Ｒ２，Ｒ６，Ｒ７では、透光性装飾部材１０３と同様な形態で当て座９０が意匠を構成し、すなわち、当て座９０の外周を透光性装飾部材１０４の周縁部の炎形状に対応して炎形状または星形の意匠（デザイン）が施されて成る第１の意匠形態部９２Ａとして形成し、一方、外部から遊技者が当て座９０を視認不可能な透光性装飾部材１０４の中央領域（破線で示される領域）Ｒ３，Ｒ４，Ｒ５では、当て座９０に対して簡易な意匠、例えば円形等の形状の意匠（第２の意匠形態部９２Ｂ）を当て座９０の外周等に施している。
【００６１】
無論、このような当て座９０の意匠化（デザイン化）は、他の２つの透光性装飾部材１０２，１０５に対して行なわれる。
【００６２】
以上説明したように、本実施の形態においては、成形品である透光性装飾部材１０２〜１０５に必然的に残存する押し出しピンの当て座９０が意匠を構成しているため、透光性装飾部材１０２〜１０５が導光されて発光した際に、当て座９０が遊技者から見えてしまう場合であっても、その発光した透光性装飾部材１０２〜１０５のデザイン（意匠性）が当て座９０によって損なわれてしまうことがない。言い換えると、透光性装飾部材１０２〜１０５の意匠性を損なうことなく当て座９０の割り当て位置を任意に設定できる。
【００６３】
なお、本発明は、前述した実施の形態に限定されず、その要旨を逸脱しない範囲で種々変形して実施できる。例えば、前述の実施の形態では、前後に重ね合される透光性装飾部材として、４つの透光性装飾部材１０２〜１０５を例にとって説明したが、前後に重ね合される透光性装飾部材の数はこれに限ることなく、２つ以上であればよい。また、前述の実施の形態では、照明装置３４の透光性装飾部材を例にとって説明したが、本発明は、遊技機を構成するあらゆる透光性装飾部材に対して適用できる。
【００６４】
また、前述の実施の形態では、当て座が意匠を構成する形態として、当て座の外周に意匠が施される形態について説明したが、当て座の意匠化は、透光性装飾部材自体が伴う意匠の一部を当て座が構成するような形態で実現されてもよい。また、当て座の意匠化は、遊技者が外側から見て当て座が意匠を構成していると認識できる状態、例えば、透光性装飾部材の背面に形成される当て座に直接に意匠を施さずに、当て座の位置に対応する透光性装飾部材の表面部位（当て座が位置する面とは反対側に位置する透光性装飾部材の面）で当て座またはその外周に対応する位置に意匠を施す形態で成されてもよい。
【符号の説明】
【００６５】
９０  当て座
９２Ａ  第１の意匠形態部
９２Ｂ  第２の意匠形態部
１０２〜１０５  透光性装飾部材
【図１】
2019118432.tif 000003
【図２】
2019118432.tif 000004
【図３】
2019118432.tif 000005
【図４】
2019118432.tif 000006
【図５】
2019118432.tif 000007
【図６】
2019118432.tif 000008